(57)【要約】  【課題】  発電と電力貯蔵とを行い、地域的にエネルギーを効率的に利用できるようにする発電制御システムを提供する。  【解決手段】  複数の発電手段１，２と電力を消費する複数の負荷手段１２，１３，１４とを含む特定地域の電力供給網１１ａにおいて発電を制御する発電制御システムであって、各負荷手段１２，１３，１４における電力消費量を監視する監視手段３０と、複数の発電手段１，２を制御する制御手段４０と、電力を貯蔵する電力貯蔵手段１５，４とを備え、制御手段４０は、監視手段３０から送られてくる各負荷手段１２，１３，１４の電力消費量の情報を受けて、発電手段１，２の発電量の制御を行い、各負荷手段１２，１３，１４にて消費しきれない電力を電力貯蔵手段１５，４に一時的に貯蔵する発電制御システムとしている。【選択図】図１
2007129850.tif 000002
【特許請求の範囲】
【請求項１】
複数の発電手段と電力を消費する複数の負荷手段とを含む特定地域の電力供給網において発電を制御する発電制御システムであって、
各負荷手段における電力消費量を監視する監視手段と、
複数の上記発電手段を制御する制御手段と、
電力を貯蔵する電力貯蔵手段と、
を備え、
上記制御手段は、上記監視手段から送られてくる各負荷手段の電力消費量の情報を受けて、上記発電手段の発電量の制御を行い、各負荷手段にて消費しきれない電力を上記電力貯蔵手段に一時的に貯蔵することを特徴とする発電制御システム。
【請求項２】
前記発電手段は、風力発電、ディーゼル発電、バイオマス発電、太陽光発電、原子力発電、水力発電、ガス発電、火力発電、地熱発電の内、少なくとも１つを含むことを特徴とする請求項１に記載の発電制御システム。
【請求項３】
前記負荷手段において消費しきれない電力を用いて水を分解して水素と酸素とを生成させる水電解手段と、
芳香族化合物と上記水電解手段によって得られた水素とを反応させて有機ハイドライドとして水素を貯蔵する水素貯蔵手段と、
上記有機ハイドライドの脱水素反応を利用して水素を取り出して外部に供給する水素供給手段と、
上記水素供給手段からの水素を利用して、電力あるいは熱の形態でエネルギーに変換するエネルギー変換手段と、
をさらに備え、
上記水素貯蔵手段は、前記負荷手段にて消費しきれない電力を利用して生成した水素を有機ハイドライドの形で貯蔵し、
上記水素供給手段は、その有機ハイドライドから水素を取り出し、
上記エネルギー変換手段は、水素を電力あるいは熱として前記負荷手段に供給することを特徴とする請求項１または２に記載の発電制御システム。
【請求項４】
前記水電解手段で得られた酸素を貯蔵若しくは搬送する酸素貯蔵・搬送手段と、
上記酸素貯蔵・搬送手段からの酸素を消費する水産系養殖場、好気性植物の栽培場若しくは地域内のゴミ焼却場に代表される酸素消費手段と、
電力あるいは熱を上記酸素消費手段に供給するエネルギー供給手段と、
を備えることを特徴とする請求項１から３のいずれか１項に記載の発電制御システム。
【請求項５】
前記電力貯蔵手段は、蓄電池、フライホール、その電力を用いた水分解により生成した水素と芳香族化合物との反応から有機ハイドライドを生成する水素貯蔵手段、水素貯蔵合金あるいは水素タンクの内少なくとも１つであることを特徴とする請求項１から４のいずれか１項に記載の発電制御システム。
【発明の詳細な説明】
【技術分野】
【０００１】
本発明は、特定地域の電力供給網において発電を制御する発電制御システムに関する。
【背景技術】
【０００２】
一般的に、自然エネルギーを利用した発電は天候に左右されがちである。例えば、風力発電の場合には風の強弱によって発電量が左右され、太陽光発電の場合には日照の強弱あるいは日照時間の長短によって発電量が左右される。このため、これらの自然エネルギーで得られた電力を安定的に利用するためには、バッテリーなどの電力貯蔵装置が必要になる（例えば、特許文献１参照。）。
【特許文献１】特開２００４−１７６６９６号公報（特許請求の範囲、要約書等）
【発明の開示】
【発明が解決しようとする課題】
【０００３】
しかし、上述の従来技術には、次のような問題がある。それは、大量のエネルギーを貯蔵したり、遠隔地にエネルギーを送る場合には、バッテリーを用いたエネルギーの貯蔵では限界があるということである。このような課題に鑑みて、本発明者は、不飽和炭化水素に水素を付加した有機ハイドライドの形態で、エネルギーの貯蔵および輸送を行うことを考えた。
【０００４】
このようなエネルギーの貯蔵および輸送を効率的に実施するには、電力を消費する場所における電力消費量を考慮してできるだけ余剰の電力を生じないようにすると共に、発生した余剰の電力については、これを電力あるいは他の形態に変換したもので消費させることが望まれている。特に、エネルギーのよりよい形態を含め、地域的にエネルギーを過不足無く利用するようにすることが望まれている。
【０００５】
本発明は、このような問題に鑑みてなされたものであり、発電と電力貯蔵とを行い、地域的にエネルギーを効率的に利用できるようにする発電制御システムを提供することを目的とする。
【課題を解決するための手段】
【０００６】
上記目的を達成するために、本発明は、複数の発電手段と電力を消費する複数の負荷手段とを含む特定地域の電力供給網において発電を制御する発電制御システムであって、各負荷手段における電力消費量を監視する監視手段と、複数の上記発電手段を制御する制御手段と、電力を貯蔵する電力貯蔵手段とを備え、制御手段は、監視手段から送られてくる各負荷手段の電力消費量の情報を受けて、発電手段の発電量の制御を行い、各負荷手段にて消費しきれない電力を電力貯蔵手段に一時的に貯蔵する発電制御システムとしている。
【０００７】
このため、特定地域の電力供給網において、電力消費量に応じた発電量の制御を行うことができ、無駄な発電を防止することができる。加えて余った電力が生じた場合には、水素、有機ハイドライド、その他の形態にて当該電力を貯蔵し、必要に応じてこれらを使用することができる。
【０００８】
また、別の本発明は、先の発明における発電手段として、風力発電、ディーゼル発電、バイオマス発電、太陽光発電、原子力発電、水力発電、ガス発電、火力発電、地熱発電の内少なくとも１つを含む発電制御システムとしている。このため、各種発電所における発電量を制御し、電力消費量に応じた発電をすることができる。特に、自然エネルギーを利用した風力発電、太陽光発電若しくは地熱発電、廃棄物を利用したバイオマス発電にも適用可能であるため、化石燃料の枯渇、自然破壊、環境汚染等のリスクの少ないエネルギー循環システムの構築に有益である。
【０００９】
また、別の本発明は、先の各発明における負荷手段において消費しきれない電力を用いて水を分解して水素と酸素とを生成させる水電解手段と、芳香族化合物と水電解手段によって得られた水素とを反応させて有機ハイドライドとして水素を貯蔵する水素貯蔵手段と、有機ハイドライドの脱水素反応を利用して水素を取り出して外部に供給する水素供給手段と、水素供給手段からの水素を利用して、電力あるいは熱の形態でエネルギーに変換するエネルギー変換手段とをさらに備え、水素貯蔵手段は、負荷手段にて消費しきれない電力を利用して生成した水素を有機ハイドライドの形で貯蔵し、水素供給手段は、その有機ハイドライドから水素を取り出し、エネルギー変換手段は、水素を電力あるいは熱として負荷手段に供給する発電制御システムとしている。
【００１０】
このため、電力供給網に存する各負荷手段において余剰の電力が生じた場合、その電力を有機ハイドライドの形態にて容易に貯蔵でき、かつトラック等の輸送手段によって遠隔地に容易に輸送することができる。また、有機ハイドライドを脱水素して水素を自動車用の動力源として供給することもできる。脱水素によって生じた芳香族炭化水素は、回収して水素貯蔵手段に戻しておくと、水素との付加反応によって有機ハイドライドを得ることもできる。このように、芳香族炭化水素と有機ハイドライドとの間における可逆的な水素との反応を利用して、エネルギー循環システムを構築できる。
【００１１】
また、別の本発明は、先の各発明において、水電解手段で得られた酸素を貯蔵若しくは搬送する酸素貯蔵・搬送手段と、酸素貯蔵・搬送手段からの酸素を消費する水産系養殖場、好気性植物の栽培場若しくは地域内のゴミ焼却場に代表される酸素消費手段と、電力あるいは熱を酸素消費手段に供給するエネルギー供給手段とを備える発電制御システムとしている。このため、水電解手段によって生じた酸素を、酸素を必要とする酸素消費手段において有効活用することができる。さらに、酸素消費手段において電力若しくは熱が必要な場合には、水素と酸素との反応から水を得る際に生じた熱エネルギー等を利用して、これを酸素消費手段に送ることができる。
【００１２】
また、別の本発明は、先の各発明において、電力貯蔵手段は、蓄電池、フライホール、その電力を用いた水分解により生成した水素と芳香族化合物との反応から有機ハイドライドを生成する水素貯蔵手段、水素貯蔵合金あるいは水素タンクの内少なくとも１つである発電制御システムとしている。このため、余剰の電力を利用しやすい形態で貯蔵することができる。
【発明の効果】
【００１３】
本発明によれば、発電と電力貯蔵とを行い、地域的にエネルギーを効率的に利用できるようにすることができる。
【発明を実施するための最良の形態】
【００１４】
以下、本発明に係る発電制御システムの実施の形態について、図面に基づいて詳細に説明する。
【００１５】
まず、本発明で採用している水素付加反応について簡単に説明する。次に示す３種類の反応式は、不飽和炭化水素（芳香族炭化水素など）の水素付加反応を示す式である。これらの反応式に示すように、不飽和炭化水素への水素付加によって、飽和炭化水素が生成される。
【００１６】
Ｃ１０Ｈ８＋５Ｈ２→Ｃ１０Ｈ１８（ナフタレンの水素付加反応）
Ｃ６Ｈ６ ＋３Ｈ２ →Ｃ６Ｈ１２  （ベンゼンの水素付加反応）
Ｃ７Ｈ８＋３Ｈ２→Ｃ７Ｈ１４（トルエンの水素付加反応）
【００１７】
不飽和炭化水素のように炭素同士の結合に二重結合あるいは三重結合を含む炭化水素系の原料の水素付加反応を利用することによって、外部からの水素を貯蔵することができる。以後、この実施の形態では、デカリン、シクロヘキサンあるいはメチルシクロヘキサンのように、それ自体に存在する水素を外部に放出できる炭化水素系の原料を総称して「有機ハイドライド」と称し、ナフタレン、ベンゼンあるいはトルエンのように、外部からの水素と結合して水素を貯蔵できる炭化水素系の原料を総称して「芳香族炭化水素」と称する。
【００１８】
図１は、本発明の実施の形態に係る発電制御システムを含む地域エネルギー循環システムの概略を示す概略図である。この実施の形態では、芳香族炭化水素として、ベンゼンを用い、有機ハイドライドとして、ベンゼンの水素付加により生成するとシクロヘキサンを用いている例を示している。
【００１９】
この地域エネルギー循環システムには、自然エネルギーの一形態である風力を利用して発電を行う風力発電所（発電手段の一形態）１、原子力発電所（発電手段の一形態）２、水分解装置（水電解手段の一形態）３、水素とベンゼンとからシクロヘキサンを合成する水素貯蔵装置（水素貯蔵手段および電力貯蔵手段の一形態）４およびシクロヘキサンを貯蔵するタンク５がある。風力発電所１および原子力発電所２において発電された電気の一部は、水分解装置３に送られ、水分解装置３において水を水素と酸素に分解するエネルギーとして利用される。水分解装置３で生成した水素は、水素貯蔵装置４に送られる。水素貯蔵装置４にはベンゼンが貯蔵されており、水素貯蔵装置４では、水素とベンゼンとの水素付加反応によりシクロヘキサンが生成される。そのシクロヘキサンは、タンク５内に貯蔵可能である。また、水分解装置３で生成した酸素の一部または全部は、酸素消費手段の一形態であるゴミ焼却場６あるいは水産系養殖場７に送られ、ゴミの燃焼効率の向上あるいは水産物の成長に寄与する。
【００２０】
タンク５内のシクロヘキサンは、海上では、タンカー８によって、また、陸上では、トラック９によって、それぞれ遠隔地に運ぶようにすることもできる。なお、水素貯蔵装置４から、タンク５を経ることなく、直接にシクロヘキサンをタンカー８あるいはトラック９に積むようにしても良い。
【００２１】
風力発電所１で発電された電気は、高電圧にて鉄塔１０を経由して、地域の電力供給網１１ａに送られる。当該電力供給網１１ａには、多くの住宅１２、工場１３、オフイス１４が電力供給可能な状態でつながっている。住宅１２、工場１３、オフイス１４のように、電力を消費する場所を「負荷手段」という。また、電力供給網１１ａには、電力貯蔵手段としてのバッテリー１５（蓄電池の一形態）が接続されており、電力供給網１１ａの電気を蓄電可能となっている。
【００２２】
また、地域エネルギー循環システムにおける所定の場所には、水素供給手段の一形態である水素スタンド１６が設置されている。水素スタンド１６では、シクロヘキサンの脱水素反応によってベンゼンと水素とが生成する。自動車１７は、水素スタンド１６において生成する水素を、自動車１７内部の燃料電池に取り込むと共に、当該水素と外気経由の酸素とから水を合成し、当該合成反応により発生したエネルギーを利用して動力を得る。
【００２３】
水素スタンド１６では、シクロヘキサンの分解によってベンゼンが生成する。当該ベンゼンは、定期的に、トラック１８に積載されて、水素貯蔵装置４に運ばれる。水素貯蔵装置４内に入れられたベンゼンは、水分解装置３から送られてくる水素との水素付加反応に利用される。さらに、電力供給網１１ａには、大型の燃料電池（エネルギー変換手段およびエネルギー供給手段の一形態）１９が接続されている。燃料電池１９には、シクロヘキサンの脱水素反応により水素を生成し外部に供給する水素供給装置（水素供給手段およびエネルギー供給手段の一形態）２０が接続されている。トラック９を介して水素供給装置２０にシクロヘキサンを供給すると、脱水素反応により水素とベンゼンが生成する。水素は、燃料電池１９に運ばれて、外気経由の酸素との反応に利用される。その結果、水が合成され、当該合成により発生したエネルギーが電力供給網１１ａにつながる住宅１２等に利用される。一方、水素供給装置２０内のベンゼンは、トラック１８に積載されて、水素貯蔵装置４に運ばれる。
【００２４】
また、地域エネルギー循環システムには、住宅１２等で構成されるコミュニティ１１ｂも存在する。コミュニティ１１ｂには、大型の燃料電池１９が接続されている。さらに、燃料電池１９には、水素供給装置２０が接続されている。トラック９を介して水素供給装置２０にシクロヘキサンを供給すると、脱水素反応により水素とベンゼンが生成する。水素は、燃料電池１９に運ばれて、外気経由の酸素との反応に利用される。その結果、水が合成され、当該合成により発生したエネルギーがコミュニティ１１ｂを構成する住宅１２等に利用される。一方、水素供給装置２０内のベンゼンは、トラック１８に積載されて、水素貯蔵装置４に運ばれる。
【００２５】
また、電力供給網１１ａは、温水配管２１と接しており、温水配管２１において電力を利用して温水がつくられる。当該温水の一部は、水分解装置３にも供給され、その他は住宅１２等の暖房にも利用される。
【００２６】
電力供給網１１ａは、各住宅１２、工場１３、オフイス１４等の負荷手段における電力消費量を監視する監視手段としての電力監視装置３０に電気的に接続されている。また、風力発電所１および原子力発電所２は、これら発電所１，２における発電量を制御する制御手段としての発電制御装置４０に電気的に接続されている。電力監視装置３０と、発電制御装置４０と、バッテリー１５および水素貯蔵装置４の内少なくとも１つを含む電力貯蔵手段とは、この実施の形態に係る発電制御システムを構成する構成体である。発電制御装置４０は、後述するように、電力監視装置３０から送られてくる各負荷手段１２，１３，１４の電力消費量の情報を受けて、有機ハイドライドとして貯蔵されている水素を使用し、燃料電池１９により電力として取り出し、若しくはバッテリー１５を使用して電力を取り出したり、風力発電所１および原子力発電所２の発電量の制御を行う。また、発電制御装置４０は、各負荷手段１２，１３，１４にて消費しきれない電力をバッテリー１５および水素貯蔵装置４に一時的に貯蔵させるようにする。
【００２７】
図２は、実施の形態に係る発電制御システムにおける制御を説明するための概略図である。
【００２８】
電力監視装置３０は、主に中央演算処理装置（Central Processing Unit: CPU）から構成される制御部３１と、各種データを読み書き可能に記憶するメモリ（Random Access Memory: RAM）３２と、制御部３１の制御プログラム等を一方的に読むように格納しておくメモリ（Read Only Memory: ROM）３３と、外部とのデータ通信を司るインターフェイス３４，３５とを備えている。
【００２９】
発電制御装置４０は、主にＣＰＵから構成される制御部４１とＲＡＭ４２と、制御部４１の制御プログラム等を一方的に読むように格納しておくＲＯＭ４３と、外部とのデータ通信を司るインターフェイス４４，４５とを備えている。
【００３０】
電力監視装置３０の制御部３１は、インターフェイス３４を通じて、常にあるいは一定時間おきに、電力供給網１１ａにおける各負荷手段（住宅１２、工場１３、オフイス１４等の電力を消費する場所）の電力消費量を監視し、当該電力消費量のデータをＲＡＭ３２に記憶する。また、制御部３１は、電力消費量のデータを、インターフェイス３５を通じて、発電制御装置４０へと送信する。ここで、電力消費量の監視は、各負荷手段単位の電力消費量および電力供給網１１ａに繋がる全負荷手段の総電力消費量の内、少なくともいずれか一方の電力消費量の監視である。
【００３１】
また、制御部３１は、風力発電所１および原子力発電所２から電力供給網１１ａに供給されている電力供給量のデータを、インターフェイス３４を通じて受信し、そのデータをＲＡＭ３２に記憶すると共に、インターフェイス３５を通じて、発電制御装置４０へと送信する。
【００３２】
発電制御装置４０の制御部４１は、インターフェイス４４を通じて、電力監視装置３０側から、電力供給量、電力消費量、バッテリー１５に貯蔵される電力貯蔵量の各データを受信し、これらのデータをＲＡＭ４２に記憶する。制御部４１は、電力供給量が電力供給網１１ａ内の電力消費量およびバッテリー１５および水素貯蔵装置４の電力貯蔵能力に比べて過剰であると判断した場合には、インターフェイス４５を通じて、風力発電所１および原子力発電所２の発電制御システムに対して、発電を抑えるようにコマンドを送る。なお、制御部４１は、予めＲＯＭ４３に格納されている各発電手段（風力発電所１、原子力発電所２等）の発電調整範囲のデータを参照して、各発電手段毎に、出力の低減量を決定する。また、制御部４１は、各発電手段の運転状況をモニタし、その結果をも考慮して、発電を抑えるようにコマンドを送る。
【００３３】
制御部４１は、電力供給網１１ａに供給されている電力供給量のデータと、電力消費量のデータとを比較し、電力供給量が電力消費量を上回っていると判断すると、その差分の電力量若しくはその差分から所定量を差し引いた分の電力量をバッテリー１５に貯蔵するように、電力供給網１１ａ側にコマンドを送る。また、制御部４１は、バッテリー１５のみならず、水分解装置３を通じて余剰の電力を使用して水素を製造して、その水素を水素貯蔵装置４にて有機ハイドライドの形態で貯蔵するようにできる。電力供給網１１ａは、図示されていない電力分岐システムを備えており、当該電力分岐システムは、制御部４１から送られてきたコマンドに基づいて、バッテリー１５への電力貯蔵を行う。制御部４１は、バッテリー１５に貯蔵されている電力量のデータをＲＡＭ４２に記憶する。なお、電力制御装置４０が、直接、バッテリー１５を制御するようにしても良い。
【００３４】
一方、制御部４１は、電力供給量が電力供給網１１ａ内の電力消費量に比べて不足している場合には、有機ハイドライドとして貯蔵されている水素を使用し、燃料電池１９により電力として取り出し、若しくはバッテリー１５を使用して電力を取り出し、これらを優先的に利用するように、電力供給網１１ａ側にコマンドを送る。制御部４１は、このような処理によっても、まだ電力が不足していると判断した場合には、インターフェイス４５を通じて、風力発電所１および原子力発電所２の発電制御システムに対して、発電量を増大するようにコマンドを送る。この場合でも、制御部４１は、予めＲＯＭ４３に格納されている各発電手段（風力発電所１、原子力発電所２等）の発電量調整範囲のデータを参照して、各発電手段毎に、発電量を決定する。また、制御部４１は、各発電手段の運転状況をモニタし、その結果をも考慮して、発電量を増大するようにコマンドを送る。
【００３５】
電力監視装置３０は、電力供給網１１ａのみならず、コミュニティ１１ｂの電力供給量と各負荷手段の電力消費量とを含めて監視するようにしても良い。すなわち、電力監視装置３０は、風力発電所１および原子力発電所２等の発電手段から電力の供給をうけるすべての単位を監視できる。また、電力貯蔵手段として、バッテリー１５および水素貯蔵装置４以外に、水素貯蔵合金、フライホイール等の他の電力貯蔵手段を利用したり、これらを適宜組み合わせて利用しても良い。
【００３６】
以上、本発明に係る発電制御システムの好適な実施の形態について説明したが、本発明は当該実施の形態に限定されることなく、以下のように、種々変形を施して実施することもできる。
【００３７】
上述の実施の形態では、発電手段の例として、風力発電所１と原子力発電所２とを挙げて説明したが、発電手段は、これら２種類に限定されず、ディーゼル発電、バイオマス発電、太陽光発電、水力発電、ガス発電、火力発電、地熱発電等の各種発電方法を採る発電所の１つ若しくはこれらの内の２つ以上を任意に組み合わせたものとすることができる。
【００３８】
また、芳香族化合物としてベンゼン以外の化合物（例えば、ナフタレン）を用い、有機ハイドライドとしてシクロヘキサン以外の化合物（例えば、芳香族化合物としてナフタレンを用いた場合にはデカリン）を用いても良い。
【００３９】
上述の実施の形態における水素貯蔵装置４および水素供給装置２０は、それぞれ、ベンゼンに水素を付加してシクロヘキサンの形態で水素を貯蔵する装置およびシクロヘキサンの脱水素により水素とベンゼンとを生成して水素を外部に供給する装置であるが、ベンゼンの代わりにナフタレンを、シクロヘキサンの代わりにデカリンを用いた場合には、ナフタレンに水素を付加してデカリンとして水素を貯蔵する水素貯蔵手段と、デカリンの脱水素によりナフタレンと水素を生成し当該水素を外部に供給する水素供給手段とを採用しても良い。
【００４０】
また、上述の実施の形態では、エネルギー変換手段の一形態として燃料電池１９を採用したが、他の好適な例として、水素エンジンを採用しても良い。水素供給装置２０からの水素を水素エンジンに送り、電力・熱の形態にてコミュニティ１１ｂにつながる住宅１２等に当該形態のエネルギーを供給することができる。
【００４１】
また、水分解装置３で得られた酸素を貯蔵するために、タンク５を用いても良い。さらに、酸素をゴミ焼却場６に搬送するために、トラック９、タンカー９を用いても良い。かかる意味で、タンク５、トラック９およびタンカー９は、酸素貯蔵・搬送手段の一形態である。
【００４２】
また、酸素を消費するごみ焼却場６および水産系養殖場７以外に、酸素消費手段として、好気性植物の栽培場を採用しても良い。さらに、これらの酸素消費手段に電力あるいは熱を供給するエネルギー供給手段として、燃料電池１９およびこれに水素を供給する水素供給装置２０を採用しても良い。また、燃料電池１９以外のエネルギー供給手段として、水素エンジンを採用しても良い。また、電力貯蔵手段として、蓄電池に代表されるバッテリー１５、水素貯蔵装置４の他に、水素タンクを採用しても良い。
【産業上の利用可能性】
【００４３】
本発明は、地域エネルギー循環システムに利用可能である。
【図面の簡単な説明】
【００４４】
【図１】本発明の実施の形態に係る発電制御システムを含む地域エネルギー循環システムの概略を示す概略図である。
【図２】本発明の実施の形態に係る発電制御システムにおける制御を説明するための概略図である。
【符号の説明】
【００４５】
１    風力発電所（発電手段）
２    原子力発電所（発電手段）
３    水分解装置（水電解手段）
４    水素貯蔵装置（水素貯蔵手段および電力貯蔵手段）
５    タンク（酸素貯蔵・搬送手段）
６    ゴミ焼却場（酸素消費手段）
７    水産系養殖場（酸素消費手段）
８    タンカー（酸素貯蔵・搬送手段）
９    トラック（酸素貯蔵・搬送手段）
１０    鉄塔
１１ａ  電力供給網
１１ｂ  コミュニティ
１２    住宅（負荷手段）
１３    工場（負荷手段）
１４    オフイス（負荷手段）
１５    バッテリー（電力貯蔵手段）
１６    水素スタンド（水素供給手段）
１７    自動車
１８    トラック
１９    燃料電池（エネルギー変換手段、エネルギー供給手段）
２０    水素供給装置（水素供給手段、エネルギー供給手段）
２１    温水配管
３０    電力監視装置（監視手段）
３１    制御部（監視手段の一部）
３２    ＲＡＭ
３３    ＲＯＭ
３４    インターフェイス
３５    インターフェイス
４０    発電制御装置（制御手段）
４１    制御部（制御手段の一部）
４２    ＲＡＭ
４３    ＲＯＭ
４４    インターフェイス
４５    インターフェイス
【図１】
2007129850.tif 000003
【図２】
2007129850.tif 000004